(57)【要約】【課題】伝送装置の交換時において、新規参入する伝送装置に対してＶＬＡＮＩＤ及びＩＰアドレスの事前設定を不要とし、交換前の伝送装置が保有していた設定情報の全てをＰｎＰ方式により自動的に付与できるようにした伝送装置を得る。【解決手段】ネットワークシステムを構成する伝送装置が交換されたとき、新しい伝送装置は、設定された伝送装置ＩＤを用いて、ＩＰアドレス取得要求手段８により、非ＩＰ通信によるＩＰアドレス取得要求を送信し、この伝送装置ＩＤをもった他の伝送装置から、ＩＰアドレス取得応答手段１０により、非ＩＰ通信によるＩＰアドレスを含むＩＰアドレス取得応答を受信したとき、設定情報取得手段１２により、ＩＰアドレス取得応答を送信した伝送装置にＩＰアドレスを用いたＩＰ通信により設定情報を要求するようにしたものである。【選択図】図１
2008141468.tif 000002
【特許請求の範囲】
【請求項１】
伝送路を介して互いに接続されてネットワークシステムを構成し、非ＩＰ通信及びＶＬＡＮ方式によるＩＰ通信を行う伝送装置であって、
通信に必要な設定情報が格納される設定情報格納手段、
上記ネットワークシステム内で自装置を一意に識別するための伝送装置ＩＤを設定する伝送装置ＩＤ設定手段、
自装置に設定された上記伝送装置ＩＤを用いて、この伝送装置ＩＤに対応するＩＰアドレス設定情報を取得するためのＩＰアドレス取得要求を非ＩＰ通信により送信するＩＰアドレス取得要求手段、
他の伝送装置である第一の伝送装置から上記ＩＰアドレス取得要求を受信し、上記ＩＰアドレス取得要求に含まれる伝送装置ＩＤに対応する伝送装置の設定情報を自装置が保有し、かつこの伝送装置とＶＬＡＮ方式によるＩＰ通信が可能な場合に、ＶＬＡＮＩＤ及びこのＶＬＡＮＩＤに対応するＩＰアドレス設定情報を含むＩＰアドレス取得応答を上記第一の伝送装置に非ＩＰ通信により送信するＩＰアドレス取得応答手段、
上記ＩＰアドレス取得応答を非ＩＰ通信により他の伝送装置である第二の伝送装置から受信した場合に、そのＩＰアドレス取得応答に含まれるＩＰアドレス及びＶＬＡＮＩＤを上記設定情報格納手段に登録し、上記第二の伝送装置に対して自装置の設定情報を取得するための設定情報取得要求をＩＰ通信により送信するプラグアンドプレイ用取得要求手段、上記設定情報取得要求に応じて、上記第二の伝送装置がＩＰ通信により送信する自装置の設定情報を取得して上記設定情報格納手段に登録する設定情報取得手段を備えたことを特徴とする伝送装置。
【請求項２】
プラグアンドプレイ用のＶＬＡＮＩＤを設定するＶＬＡＮＩＤ設定手段をさらに備え、
上記ＩＰアドレス取得応答手段が、上記ＩＰアドレス取得要求に含まれる伝送装置ＩＤに対応し、かつ自装置に設定されたプラグアンドプレイ用のＶＬＡＮＩＤが含まれる伝送装置の設定情報を自装置が保有する場合に、このＶＬＡＮＩＤ及びこのＶＬＡＮＩＤに対応するＩＰアドレス設定情報を含むＩＰアドレス取得応答を上記第一の伝送装置に非ＩＰ通信により送信することを特徴とする請求項１記載の伝送装置。
【請求項３】
自装置に設定されている全てのＩＰアドレスについてのＶＬＡＮＩＤを含むＩＰアドレス設定情報及び上記伝送装置ＩＤを所定周期でＩＰ通信により送信する定期ＩＰ広告手段、
上記定期ＩＰ広告手段により他の伝送装置が送信したＶＬＡＮＩＤを含むＩＰアドレス設定情報及び上記伝送装置ＩＤを、自装置の記憶媒体に形成されたＩＰアドレス検索テーブルに記憶するＩＰアドレス検索テーブル作成手段、
他の伝送装置である第一の伝送装置から上記ＩＰアドレス取得要求を受信し、上記ＩＰアドレス取得要求に含まれる伝送装置ＩＤで上記ＩＰアドレス検索テーブルを検索してＶＬＡＮＩＤを含む上記ＩＰアドレス設定情報を取得するＩＰアドレス検索手段をさらに備え、
上記ＩＰアドレス取得応答手段が、上記ＩＰアドレス検索手段によりＶＬＡＮＩＤを含む上記ＩＰアドレス設定情報を取得できた場合に、ＶＬＡＮＩＤを含む上記ＩＰアドレス設定情報を有するＩＰアドレス取得応答を上記第一の伝送装置に非ＩＰ通信により送信することを特徴とする請求項１記載の伝送装置。
【請求項４】
上記ＩＰアドレス取得応答手段が、上記ＩＰアドレス取得要求に含まれる伝送装置ＩＤに対応する伝送装置の設定情報を自装置が保有する場合に、上記伝送装置の設定情報と自装置の設定情報を比較し、ＶＬＡＮＩＤ及びＩＰアドレスのネットワーク部が一致するＩＰアドレスを検索し、この検索したＩＰアドレスについて、ＩＰアドレス設定情報及びこのＩＰアドレス設定情報に対応するＶＬＡＮＩＤを含むＩＰアドレス取得応答を上記第一の伝送装置に非ＩＰ通信により送信することを特徴とする請求項１記載の伝送装置。
【発明の詳細な説明】
【技術分野】
【０００１】
この発明は、ローカルエリアネットワーク（ＬＡＮ）などのネットワークシステムを構成する伝送装置に関するものである。
【背景技術】
【０００２】
一般に、ネットワークシステムにおいて、伝送制御を行う伝送装置は、伝送路を介して互いに接続されてネットワークを構成し、データ通信を行っている。このようなデータ通信を可能とするためには、各伝送装置に対してデータ通信に必要な各種の情報を予め設定しておく必要がある。
この場合、ネットワークシステムを構成する伝送装置の一つが故障したときには、伝送装置の交換が必要となり、その際、交換後の伝送装置が他の伝送装置と通信可能となるためには、交換後の伝送装置に、交換前の伝送装置と同じ各種の情報を設定する必要がある。  
そのため、交換により新規参入する伝送装置について、人手で設定情報の付与作業を行う場合には、その作業のために余分な時間がかかるばかりでなく、設定情報の数が多いので、設定ミスが発生し易く、その結果、交換後の伝送装置が誤動作する恐れがある。
【０００３】
そのための対策の一つとして、従来技術では、伝送装置の交換時に、交換前の伝送装置が保有していた設定情報の全てをプラグアンドプレイ方式により、自動的に付与できるようにして、情報設定作業ミスの発生を無くすと共に情報設定作業の労力を削減できるネットワークシステムが提案されている（例えば、特許文献１参照）。
特許文献１では、プラグアンドプレイ実施のためのネットワークを作成するために、各伝送装置にＶＬＡＮ、ＩＰアドレスの設定が必要となる。
【０００４】
ＶＬＡＮ（Ｖｉｒｔｕａｌ  ＬＡＮ）とは、ある１つのＬＡＮネットワークシステムの物理的な接続を、仮想的に分割することで、ＬＡＮネットワークシステムを複数のＬＡＮネットワークシステムに分割するための技術である。
例えば、３つの端末Ａ、Ｂ、Ｃが互いに通信可能な１つのＬＡＮネットワークシステムが構築されているとする。単純な構成として、１つの伝送装置に端末Ａ、端末Ｂ、端末Ｃが接続されているものとする。この構成にて、端末Ｃが残りの端末Ａ、Ｂと通信が出来ないように、ＬＡＮネットワークシステムを分割する場合には、伝送装置で端末Ａと端末Ｂの接続されているポートと端末Ｃの接続されているポートをＶＬＡＮ設定にて分割することで可能となる。
また、同じポートに複数のＶＬＡＮが設定されている場合は、どのＶＬＡＮに参加するかを識別するための、ＶＬＡＮＩＤが必要となる。例えば、上記構成にて、端末Ａが端末Ｂ、端末Ｃと通信が可能で、かつ端末Ｂと端末Ｃの通信が不可能となるＬＡＮネットワークシステムを構成するためには、端末Ａと端末Ｂで同じＶＬＡＮ設定、端末Ａと端末Ｃで同じＶＬＡＮ設定が必要となる。この場合、伝送装置の端末Ａの接続されているポートには２つのＶＬＡＮが設定されることとなる。端末Ａから通信を行う場合に、どちらのＶＬＡＮに参加するかは、ＶＬＡＮＩＤを用いて決めることとなる。このように一つのポートに複数のＶＬＡＮを設定することをトランキングと呼ぶ。ＶＬＡＮＩＤには、一般的に１から４０９４までの値が用いられる。
【０００５】
このように分割されたＶＬＡＮ間で通信を行う場合にはＩＰ（Ｉｎｔｅｒｎｅｔ  Ｐｒｏｔｏｃｏｌ）プロトコルを用いた、通信データの中継技術であるＩＰルーティングが必要となる。ＩＰルーティングを行うためには、ＩＰプロトコルでの固有識別子となるＩＰアドレスが必要となる。また、ＩＰプロトコルを用いた管理通信や、データ通信を行うためにも、ＩＰアドレスは必要となる。そのため、各ＶＬＡＮにはＩＰアドレスを設定することが可能である。
本発明での、プラグアンドプレイ実施のためのネットワークとは、ＩＰアドレスの設定されたＶＬＡＮのことをいう。
そして、特許文献１のプラグアンドプレイでは、交換により、設定情報が未設定の伝送装置がネットワークに参入した際に、新規参入した伝送装置が、自身の設定情報の取得要求をネットワーク内に送信し、その要求を受信した伝送装置の内、他の伝送装置の設定情報を予めバックアップしている伝送装置が、当該設定情報を応答として送信し、応答を受信した伝送装置が取得した設定情報を自身に自動的に設定することで、設定時の手間を省けるようにしている。
このとき、プラグアンドプレイ全体をＩＰ通信で行うために、必要となるＶＬＡＮＩＤ及びＩＰアドレスについては、最低限必要な設定としてあらかじめ実施することが暗黙の前提となっている。
【０００６】
【特許文献１】特開２００６−１６６０８３号公報（第４〜１１頁、図１）
【発明の開示】
【発明が解決しようとする課題】
【０００７】
このように、特許文献１に記載されている従来技術では、プラグアンドプレイ（以下、ＰｎＰと表記する）方式により、各伝送装置の設定情報を自動的に設定することが可能であるものの、予めＰｎＰ用のＶＬＡＮＩＤ及びＩＰアドレスを設定する必要があり、依然として人手がかかることになる。
また、新規参入する伝送装置からのＩＰアドレス取得要求に対応する方法でも、新規参入する伝送装置からのＩＰアドレス取得要求に対しては、これに対応するＩＰアドレスを応答として送信するとしか定義されていない。そのため、伝送路内でＰｎＰ用に他の伝送装置の設定情報を配送するのに用いるポート番号、ＶＬＡＮ、ＩＰアドレス等の情報が単数、または固定設定である場合には問題が無いが、伝送路内で複数のＶＬＡＮによりトランキングされている場合にＰｎＰが出来ないという問題があった。
【０００８】
この発明は、上述のような課題を解決するためになされたものであり、伝送装置の交換時において、新規参入する伝送装置に対してＶＬＡＮＩＤ及びＩＰアドレスの事前設定を不要とし、交換前の伝送装置が保有していた設定情報の全てをＰｎＰ方式により自動的に付与できるようにした伝送装置を得ることを目的としている。
【課題を解決するための手段】
【０００９】
この発明に係わる伝送装置においては、伝送路を介して互いに接続されてネットワークシステムを構成し、非ＩＰ通信及びＶＬＡＮ方式によるＩＰ通信を行う伝送装置であって、
通信に必要な設定情報が格納される設定情報格納手段、
ネットワークシステム内で自装置を一意に識別するための伝送装置ＩＤを設定する伝送装置ＩＤ設定手段、
自装置に設定された伝送装置ＩＤを用いて、この伝送装置ＩＤに対応するＩＰアドレス設定情報を取得するためのＩＰアドレス取得要求を非ＩＰ通信により送信するＩＰアドレス取得要求手段、
他の伝送装置である第一の伝送装置からＩＰアドレス取得要求を受信し、ＩＰアドレス取得要求に含まれる伝送装置ＩＤに対応する伝送装置の設定情報を自装置が保有し、かつこの伝送装置とＶＬＡＮ方式によるＩＰ通信が可能な場合に、ＶＬＡＮＩＤ及びこのＶＬＡＮＩＤに対応するＩＰアドレス設定情報を含むＩＰアドレス取得応答を第一の伝送装置に非ＩＰ通信により送信するＩＰアドレス取得応答手段、
ＩＰアドレス取得応答を非ＩＰ通信により他の伝送装置である第二の伝送装置から受信した場合に、そのＩＰアドレス取得応答に含まれるＩＰアドレス及びＶＬＡＮＩＤを設定情報格納手段に登録し、第二の伝送装置に対して自装置の設定情報を取得するための設定情報取得要求をＩＰ通信により送信するプラグアンドプレイ用取得要求手段、設定情報取得要求に応じて、第二の伝送装置がＩＰ通信により送信する自装置の設定情報を取得して設定情報格納手段に登録する設定情報取得手段を備えたものである。
【発明の効果】
【００１０】
この発明は、以上説明したように、伝送路を介して互いに接続されてネットワークシステムを構成し、非ＩＰ通信及びＶＬＡＮ方式によるＩＰ通信を行う伝送装置であって、
通信に必要な設定情報が格納される設定情報格納手段、
ネットワークシステム内で自装置を一意に識別するための伝送装置ＩＤを設定する伝送装置ＩＤ設定手段、
自装置に設定された伝送装置ＩＤを用いて、この伝送装置ＩＤに対応するＩＰアドレス設定情報を取得するためのＩＰアドレス取得要求を非ＩＰ通信により送信するＩＰアドレス取得要求手段、
他の伝送装置である第一の伝送装置からＩＰアドレス取得要求を受信し、ＩＰアドレス取得要求に含まれる伝送装置ＩＤに対応する伝送装置の設定情報を自装置が保有し、かつこの伝送装置とＶＬＡＮ方式によるＩＰ通信が可能な場合に、ＶＬＡＮＩＤ及びこのＶＬＡＮＩＤに対応するＩＰアドレス設定情報を含むＩＰアドレス取得応答を第一の伝送装置に非ＩＰ通信により送信するＩＰアドレス取得応答手段、
ＩＰアドレス取得応答を非ＩＰ通信により他の伝送装置である第二の伝送装置から受信した場合に、そのＩＰアドレス取得応答に含まれるＩＰアドレス及びＶＬＡＮＩＤを設定情報格納手段に登録し、第二の伝送装置に対して自装置の設定情報を取得するための設定情報取得要求をＩＰ通信により送信するプラグアンドプレイ用取得要求手段、設定情報取得要求に応じて、第二の伝送装置がＩＰ通信により送信する自装置の設定情報を取得して設定情報格納手段に登録する設定情報取得手段を備えたので、交換により新たに接続される伝送装置は、交換前の伝送装置が保有していた各種の設定情報の全てをプラグアンドプレイ方式により自動的に取得することができる。
【発明を実施するための最良の形態】
【００１１】
実施の形態１．
以下、本発明をＩＥＥＥ８０２．１７のＲＰＲ（Ｒｅｓｉｌｉｅｎｔ  Ｐａｃｋｅｔ  Ｒｉｎｇ）仕様のＬＡＮシステムに適用した場合の実施の形態について説明する。
図１は、この発明の実施の形態１による伝送装置を示す構成図である。
図１において、伝送装置１は、パケットの送受信を行うためのポート４と、パケットの中継を行うスイッチング処理部３と、プログラム処理を行うＣＰＵ２と、記憶媒体５と、ネットワークシステム内で自装置を一意に識別するための伝送装置ＩＤを設定するためのＨ／Ｗスイッチ１３（伝送装置ＩＤ設定手段）により構成されている。
記憶媒体５内には、ＶＬＡＮＩＤ、ＩＰアドレスなどの自身の設定情報が格納された設定情報ファイル６（設定情報格納手段）があり、実施の形態１では、設定情報ファイル６にプラグアンドプレイ用のＶＬＡＮＩＤを設定するＰｎＰ用ＶＬＡＮＩＤ設定７（ＶＬＡＮＩＤ設定手段）が設けられている。
【００１２】
記憶媒体５内の８〜１２は、それぞれプログラムである。ＩＰアドレス取得要求手段８は、自身の設定情報が全く存在しない場合には、前記伝送装置ＩＤを格納して対応するＩＰアドレス設定情報の取得要求を非ＩＰ通信により送信する。ＩＰアドレス取得応答手段１０は、後述するＶＬＡＮＩＤ検索手段によりプラグアンドプレイ用ＶＬＡＮＩＤが含まれている場合には、当該ＶＬＡＮＩＤと、このＶＬＡＮＩＤに対応するＩＰアドレス設定情報をＩＰアドレス取得要求送信元の伝送装置に非ＩＰ通信により送信する。
プラグアンドプレイ用取得要求手段１１は、ＩＰアドレス取得要求に対応するＩＰアドレス取得応答を受信した場合に、格納されるＶＬＡＮＩＤとＩＰアドレスを設定情報ファイル６に登録し、他の伝送装置に対して自身の設定情報の取得要求をＩＰ通信により送信する。設定情報取得手段１２は、プラグアンドプレイ用取得要求手段１１により、他の伝送装置からＩＰ通信により送信されてきた設定情報を取得して、設定情報ファイル６に登録する。なお、プラグアンドプレイ用取得要求手段１１および設定情報取得手段１２は、図５のシーケンス図で説明する。
ＶＬＡＮＩＤ検索手段９は、他の伝送装置からのＩＰアドレス取得要求を受信した場合に、そのＩＰアドレス取得要求に格納された伝送装置ＩＤに対応する伝送装置の設定情報を自身が保有している場合には、さらにＰｎＰ用ＶＬＡＮＩＤ設定７により自身に設定されたプラグアンドプレイ用のＶＬＡＮＩＤが当該設定情報に含まれているかどうかを検索する。このＶＬＡＮＩＤ検索手段９は、図７のフローチャートで説明する。
【００１３】
図２は、この発明の実施の形態１によるＲＰＲ仕様のＬＡＮシステムを示す構成図である。
図２において、この実施の形態１のＬＡＮシステムは、幾つかの伝送装置１００Ａ、１００Ｂ、１００Ｃ、１００Ｄを備え、各伝送装置１００Ａ〜１００Ｄは、ポート４により、光ファイバの伝送路２００を介して、互いにループ状に接続されたネットワークを構成している。
ループは、ＲＰＲ方式により制御されており、伝送路２００には、ＲＰＲ制御のための非ＩＰ通信のデータと、伝送装置を介して、利用者がデータの配送を行えるためのＩＰ通信が混在している。ＩＰ通信では、伝送路２００は、ＩＥＥＥ８０２．１ＱのＶＬＡＮ方式によって、ＶＬＡＮＩＤとＩＰアドレスにより、１つの伝送路が３つのネットワーク３００Ａ〜３００Ｃに分割されている。これにより、仮に伝送装置１００Ｂで、ＶＬＡＮ３００Ａのネットワークを使用した場合は、伝送装置１００Ｃとしか接続できないこととなる。
【００１４】
ＰｎＰには、２つの段階が存在する。１つはＰｎＰを実施するための準備段階であり、ネットワークシステム上の各伝送装置の設定情報を別の伝送装置の記憶媒体上にバックアップする作業である。２つ目は、ＰｎＰ実施の段階で、故障等で伝送装置を別の伝送装置と交換するときに、交換後の伝送装置に交換前の伝送装置と同じ設定を自動で行うものである。
【００１５】
図３は、この発明の実施の形態１によるＲＰＲ仕様のＬＡＮシステムのＰｎＰ実施のための準備段階を示す説明図である。
図３において、４〜６、１００Ａ〜１００Ｄ、２００、３００Ａ〜３００Ｃは図２におけるものと同一のものである。管理用のＰＣ４００は、ハードディスクを持っており、イーサネット（登録商標）ケーブル４０１で伝送装置１００Ａに接続されている。伝送装置１００Ａと管理ＰＣ４００の間で、ＶＬＡＮ３００Ｂを設定することで、伝送装置１００Ａ、１００Ｂ、１００Ｃと接続することが可能となる。管理ＰＣ４００は、ファイル・トランスファ・プロトコル（Ｆｉｌｅ  Ｔｒａｎｓｆｅｒ  Ｐｒｏｔｏｃｏｌ、以下ＦＴＰと表記する）を利用して、各伝送装置に接続し、設定情報のファイルを取得し、自身のハードディスク内に保存する。
その後、伝送装置１００Ａと管理ＰＣ４００の間をＶＬＡＮ３００Ｃに変更し、伝送装置１００Ｄの設定情報をＦＴＰにて取得する。全伝送装置の設定情報が取得できた後、管理ＰＣ４００の取得した設定ファイルは、特定の伝送装置の記憶媒体内にＦＴＰを用いて転送される。図３では伝送装置１００Ｃと伝送装置１００Ｄに転送されている。
【００１６】
図４は、この発明の実施の形態１によるＲＰＲ仕様のＬＡＮシステムのＰｎＰ実施の段階を示す説明図である。
図４において、４〜６、１００Ａ〜１００Ｄ、２００、３００Ａ〜３００Ｃは図２におけるものと同一のものである。図４では、伝送装置１００Ｂが交換された状態である。そのため、伝送装置１００Ｂには、自身の設定情報が存在しない。またＶＬＡＮの設定３００Ａ、３００Ｂも無いため、ＶＬＡＮ３００Ｂを用いた、伝送装置１００Ａから伝送装置１００Ｃの中継も出来ない。このとき、交換後の伝送装置１００Ｂには、交換前の伝送装置と同じ伝送装置ＩＤが設定されている。
そして、交換により新規参入される伝送装置１００Ｂを除けば、伝送路２００に接続されている各伝送装置１００Ａ、１００Ｃ、１００Ｄの記憶媒体には、自身の伝送装置に関する設定情報が予め登録されている。この場合の自身の伝送装置に関する設定情報としては、自身の伝送装置を識別するための伝送装置ＩＤ、通信ポートを識別するためのＩＰアドレス、伝送路の選択範囲を規制するためのルーティングプロトコル、仮想ＬＡＮのように特定のグループ間での通信を許可するグループ属性の設定などがある。
【００１７】
さらに、一つ以上の伝送装置（ここでは１００Ｃ、および１００Ｄ）の記憶媒体には、他の伝送装置の設定情報をバックアップするために、他の伝送装置の設定情報（例えば伝送装置１００Ｃでは、設定情報１００Ａ、１００Ｂ、１００Ｄ）も記憶されている。以下、このように各伝送装置の設定情報を全て保持している伝送装置をバックアップノードと称する。また、バックアップノードと区別するため、自身の設定情報のみを保持している伝送装置を通常ノードと称する。  
バックアップノードは、特定の伝送装置が最初から確定されているのではなく、ネットワークシステム内の全伝送装置の設定を保有することで、バックアップノードとなるべく動作を開始する。  
【００１８】
ある伝送装置が自身の設定情報を入手するための設定取得要求をバックアップノードに送信する場合、まずネットワークシステムに参加するためのＩＰアドレスを取得する必要がある。これには、伝送装置ＩＤを用いて取得を行う。
ＩＰアドレスの取得に成功した場合、自身の設定情報を入手するための設定取得要求は、ネットワークシステム内にＩＰ通信を用いたブロードキャストで送信される。バックアップノードが上記の設定取得要求に応じた設定取得応答を送信する場合、設定取得要求の送信元にユニキャストで送信される。
また、上記の設定取得要求には、バックアップノードにて送信元の伝送装置の設定情報を特定できるようにするために、伝送装置ＩＤを付加して送信する。  
新規参入した伝送装置とバックアップノード間での設定情報の送受信には、送信側と受信側とでリンクが確立したときにＦＴＰを利用して行う。  
【００１９】
図５は、この発明の実施の形態１によるＲＰＲ仕様のＬＡＮシステムの伝送装置の動作を示すシーケンス図である。
図５において、新規参入伝送装置は、交換された伝送装置であり、図４の伝送装置１００Ｂである。通常ノードは、図４の伝送装置１００Ａを示し、バックアップノードは、図４の伝送装置１００Ｃ、１００Ｄを示す。
【００２０】
図６は、この発明の実施の形態１によるＲＰＲ仕様のＬＡＮシステムで用いられる非ＩＰ通信のＩＰアドレス取得要求とＩＰアドレス取得応答のパケットフォーマットを示す図である。
図６において、宛先伝送装置ＩＤ６００には、送信先の伝送装置ＩＤが格納される。宛先がブロードキャストの場合は、全てを１とする。送信元伝送装置ＩＤ６０１には、送信元の伝送装置ＩＤが格納される。種別６０２には、この通信がＩＰアドレス取得要求であるか、もしくはＩＰアドレス取得応答であるかを示す値が格納される。ＩＰアドレスデータ６０３には、ＩＰアドレス取得応答時に応答であるＩＰアドレスが格納される。ＩＰアドレス取得要求時には空のデータを格納し、パケット長を固定とする。
【００２１】
図７は、この発明の実施の形態１によるＲＰＲ仕様のＬＡＮシステムの電源投入後から定常状態に移行するまでの一定時間内に複数の伝送装置が立ち上がった場合の各伝送装置の処理動作を示すフローチャートである。
図７において、各処理ステップに付与された符号Ｐは、ＰｎＰ対象となる交換伝送装置での各処理ステップを、符号Ｂは、バックアップノードでの各処理ステップを意味する。
【００２２】
次に、上記構成を備えたＬＡＮシステムにおける各伝送装置（１００Ａ〜１００Ｄ）の動作について、図５により説明する。
図５で、パケット５００は、非ＩＰ通信で新規参入伝送装置（第一の伝送装置）から送信されるものであり、図１のＩＰアドレス取得要求手段８の処理により作成される。応答パケット５０１は、これに対してのバックアップノード（第二の伝送装置）からの応答されるパケットであり、図１のＩＰアドレス取得応答手段１０の処理により作成される。処理５０２は、ＩＰ通信に含まれるＵＤＰ（Ｕｓｅｒ  Ｄａｔａｇｒａｍ  Ｐｒｏｔｏｃｏｌ）を用いた処理であり、図１のプラグアンドプレイ用取得要求手段１１の処理により作成される。処理５０３は、ＩＰ通信に含まれるＦＴＰを用いた処理であり、図１の設定情報取得手段１２の処理により作成される。
パケット５００による通信は、ブロードキャスト通信であってもフラッディングされず、隣接伝送装置までしか転送されない。受け取った伝送装置は、送信元の伝送装置ＩＤが自身の伝送装置ＩＤであれば破棄し、それ以外で宛先が自身の伝送装置ＩＤ、もしくはブロードキャストであれば受信し、それ以外は隣接伝送装置へ転送していく。ブロードキャストである場合は、受信処理後、自身で処理完了できない内容（例えば、ＩＰアドレス取得要求を受信したが、応答を返すことができない等）であれば隣接伝送装置へ転送して行く。
【００２３】
また、ＲＰＲには図２の伝送路２００において、時計回りの通信と、反時計回りの通信が存在する。この実施の形態の１では、時計回りで送信したＩＰアドレス取得要求に対しては、反時計回りでＩＰアドレス取得応答を返すこととする。また、応答が無く、ＩＰアドレス取得要求が自身まで到達した場合には、逆の反時計回りで、ＩＰアドレス取得要求を送信し、上記を繰り返すものとする。
【００２４】
次に、上記構成を備えたＬＡＮシステムにおける各伝送装置１００Ａ〜１００Ｄの動作について図４および図７に示すフローチャートによりさらに詳しく説明する。
図７は、ＬＡＮシステムの電源投入後から定常状態に移行するまでの一定時間内に複数の伝送装置が立ち上がった場合の各伝送装置の処理動作を示している。
図７で、ＬＡＮシステムの電源投入後から定常状態に移行するまで、各々の伝送装置は、自身の起動完了を待つ（Ｐ１００１）。起動完了した伝送装置は、自身が交換された伝送装置で、ＰｎＰ実施対象であるかどうかを判断する。この判定指標には、自身が工場出荷状態の設定で、設定の保存が１度もされていない場合等とする（Ｐ１００２）。ＰｎＰ実施対象でない場合は、現状設定で動作を継続し、通常ノードとして動作する（Ｐ１００９）。
【００２５】
ＰｎＰ実施対象と判断された伝送装置は、とりあえずバックアップノードと接続するためのＩＰアドレス設定を行うために、ＩＰアドレス取得要求を送信する（Ｐ１００３）。この要求は、非ＩＰ通信を用いて送信される。非ＩＰ通信のＩＰアドレス取得要求は、宛先伝送装置ＩＤ、送信元伝送装置ＩＤを格納して送信する。ＩＰアドレス取得要求の宛先伝送装置ＩＤには非ＩＰ通信でのブロードキャストを表す特別な伝送装置ＩＤ（全て１）、送信元には自身の伝送装置ＩＤ（交換前の伝送装置と同じ伝送装置ＩＤである。）を格納して送信される。
また、非ＩＰ通信の通信範囲は、図４の伝送路２００のみに限定され、仮に図４の伝送装置１００Ｂから送信された場合は、非ＩＰ通信であることからネットワークには依存せず、図４の両隣の伝送装置１００Ａ、１００Ｃで受信されるものとする。ただし、実施の形態１では、時計回り、反時計回りで、交互に非ＩＰ通信が送信されるため、両隣が同時に受信することはない。
【００２６】
ＩＰアドレス取得要求は、定常状態である、通常ノード、バックアップノードで受信される。
ＩＰアドレス取得要求を受信した伝送装置（Ｂ１０２１）は、自身がバックアップノードであるかどうかの検定を行う（Ｂ１０２２）。この検定には、自身の記憶媒体の中に他の伝送装置の設定情報が保有されており、かつＩＰアドレス取得要求に含まれる伝送装置ＩＤの設定情報が保有されているかどうかで行う。設定情報が保有されているかを伝送装置ＩＤにより検索するため、バックアップノードに設定をバックアップする際には、伝送装置の設定情報に当該伝送装置ＩＤの名前を付与して保存しておく。
【００２７】
自身が通常ノードである場合は、隣接の伝送装置にこれを転送することで、ＩＰアドレス取得要求をバックアップノードまで伝播していく（Ｂ１０２６）。
【００２８】
自身がバックアップノードである場合は、自身の設定情報の中からＰｎＰ用に用いるＶＬＡＮＩＤの情報を参照する（Ｂ１０２３）。当該設定は、予め設定情報の一部として設定されているものである。
その後、自身の設定情報の中にあるＰｎＰ用に用いるＶＬＡＮＩＤ設定と、記憶媒体の中に保有している、ＩＰアドレス取得要求元の当該伝送装置ＩＤの設定情報を比較していく（Ｂ１０２４）。
バックアップノードは、ＩＰアドレス取得要求に含まれる伝送装置ＩＤに対応する伝送装置の設定情報を自装置が保有し、かつこの伝送装置とＶＬＡＮ方式によるＩＰ通信が可能な場合に、ＶＬＡＮＩＤ及びこのＶＬＡＮＩＤに対応するＩＰアドレス設定情報を含むＩＰアドレス取得応答を作成する。
【００２９】
要求元の設定情報の中で、ＰｎＰ用ＶＬＡＮＩＤと一致するＶＬＡＮＩＤがあった場合は、当該ＶＬＡＮＩＤに設定されているＩＰアドレスを応答として送信する（Ｂ１０２５）。
図４では伝送装置１００ＢのＩＰアドレス取得要求に対して、伝送装置１００Ｃ、もしくは伝送装置１００Ｄが、これを受信することとなるが、仮に伝送装置１００Ｃにて、ＰｎＰ用ＶＬＡＮＩＤ３００Ｂとし、伝送装置１００Ｄにて、ＰｎＰ用ＶＬＡＮＩＤ３００Ｃとすると、伝送装置１００Ｃでは、記憶媒体内の設定情報１００ＢにはＶＬＡＮＩＤ３００Ｂがあるため、設定情報１００Ｂの中のＶＬＡＮＩＤ３００ＢにあたるＩＰアドレスを応答する。
伝送装置１００Ｄでは、記憶媒体内の設定情報１００Ｂの設定の中にはＶＬＡＮＩＤ３００Ｃが無いため、応答は返せないこととなる。ＩＰアドレス取得応答は、非ＩＰ通信にて送信される。宛先伝送装置ＩＤには要求元の伝送装置ＩＤ、送信元伝送装置ＩＤには自身の伝送装置ＩＤ、データとしてＰｎＰ用ＶＬＡＮＩＤと検索結果のＩＰアドレスを格納して送信する。
【００３０】
要求元の設定情報の中で、ＰｎＰ用ＶＬＡＮＩＤと一致するＶＬＡＮＩＤがなかった場合は、隣接の伝送装置にこれを転送することで、ＩＰアドレス取得要求を別のバックアップノードまで伝播していく（Ｂ１０２６）。
【００３１】
ＩＰアドレス取得要求を送信した伝送装置は、ＩＰアドレス問い合わせの応答を受信するまで、ＩＰアドレス取得要求を出し続ける（Ｐ１００４）。ＩＰアドレス取得要求が連続して送信されないように、一定時間、応答受信があるかどうかを待って送信を繰り返す。応答の判断には、ＩＰアドレス取得応答の受信があった場合、宛先が自身の伝送装置ＩＤと一致しているかどうかで、自身の送信した要求に対する応答かどうかを判断する。
【００３２】
自身に対するＩＰアドレス取得応答を受信した伝送装置は、応答内容のデータ部のＶＬＡＮＩＤ、ＩＰアドレス情報を自身に設定する（Ｐ１００５）。
ＩＰアドレス設定の完了した、新規参入伝送装置は、ネットワークに参入可能であるため、ネットワーク内にＩＰ通信にて設定情報の取得要求を送信する（Ｐ１００６）。
ここから先の動作は、従来技術のＰｎＰ方式と同様である。設定情報の取得要求は、ＩＰプロトコルに含まれるＵＤＰを用いて送信される。取得要求であることを表すためにＵＤＰのポート番号を利用する。またデータ部に自身の伝送装置ＩＤの情報を格納する。
特定のＵＤＰポート番号の受信があった伝送装置は、自身の記憶媒体の中にＵＤＰデータ部に格納されている伝送装置ＩＤの設定情報を自身が保有している場合は、ＵＤＰパケットの送信元ＩＰアドレスに向けてユニキャストで応答を送信する。データ部には設定取得要求に対する応答であることを示す値を格納する。
設定要求に対する応答を受信した新規参入伝送装置は、ＩＰプロトコルに含まれるＦＴＰを用いて、設定取得要求に対する応答送信元に、ユニキャストで設定の取得を行う（Ｐ１００７）。設定情報の取得が完了すると、取得した設定情報を自動で自身に設定し（Ｐ１００８）、ＰｎＰを完了させる。
【００３３】
実施の形態１によれば、伝送装置の交換時において、ネットワークシステムの構成が複数ＶＬＡＮでトランキングされているような構成であっても、新規参入される伝送装置に対して予め伝送装置ＩＤのみを設定して設定情報の取得要求をバックアップ用の伝送装置に送信すると、これに応じてバックアップ用の伝送装置は、送信元の伝送装置ＩＤに対応した設定情報を抜き出して設定情報を送信するので、新たに接続される伝送装置は交換前の伝送装置が保有していた各種の設定情報の全てをＰｎＰ方式により自動的に取得することができる。
このため、従来に比べて情報設定の作業ミスの発生を無くすことができるとともに、設定情報の付与作業の労力を大幅に削減することが可能になる。
【００３４】
実施の形態２．
実施の形態１では、時計回りで送信したＩＰアドレス取得要求に対しては、反時計回りでＩＰアドレス取得応答を返すこととし、ＩＰアドレス取得要求が自身まで到達した場合には、逆の反時計回りで、ＩＰアドレス取得要求を送信し、上記を繰り返すものとしたが、実施の形態２では、両側から同時にＩＰアドレス取得要求を送信するものとする。
そのため、図５の新規伝送装置では、ＩＰアドレス取得応答５０１が時計回りと、反時計回りから２つ受信する場合があるが、先に受信した内容を処理するものとする。
【００３５】
実施の形態３．
図８は、この発明の実施の形態３によるＬＡＮシステムで用いられる非ＩＰ通信のＩＰアドレス取得要求とＩＰアドレス取得応答のパケットをイーサネット（登録商標）フレームでカプセル化したフォーマットを示す図である。
図８において、６００〜６０３は図６におけるものと同一のものであり、イーサネット（登録商標）のフレーム６１０のデータ部にカプセル化されている。
【００３６】
実施の形態１では、リング構成にＲＰＲを用いた場合を述べたが、実施の形態３では、ＲＰＲではなく、イーサネット（登録商標）を用いた場合とする。
イーサネット（登録商標）を用いる場合は、ＩＰアドレス取得要求、およびＩＰアドレス取得応答は、イーサネット（登録商標）のフレーム６１０で、カプセル化する必要がある。イーサネット（登録商標）のフレーム６１０にカプセル化されたデータが、ＩＰアドレス取得要求、もしくはＩＰアドレス取得応答であるかどうかを示すために、イーサネット（登録商標）のフレーム６１０の宛先ＭＡＣアドレスフィールドに特定の値を挿入する（例えば、ＩＰアドレス取得要求なら０ｘ０９−００−７０−ＥＥ−ＥＥ−ＥＥなど）。
また、イーサネット（登録商標）フレームが、実施の形態１でのＲＰＲの時のように全ての伝送装置で受信されなくてはならないため、全伝送装置で共通のＶＬＡＮを予め設定しておく必要がある。このＶＬＡＮは、固定でユーザに開放されていないものとする。例えば、ＶＬＡＮＩＤ  ４０９４を専用のＶＬＡＮとして、伝送装置の設定情報に予め登録されており、ユーザが設定変更することが出来ないものとする。
【００３７】
また、実施の形態１および実施の形態２での非ＩＰ通信でのブロードキャスト（例えば、ＩＰアドレス取得要求）は、ある伝送装置で受信後、判定によって隣接伝送装置に転送されるといった方式であったが、イーサネット（登録商標）でのブロードキャストは、判定なしで隣接伝送装置に転送される。例えば、上記ＭＡＣアドレス０ｘ０９−００−７０−ＥＥ−ＥＥ−ＥＥなどは、イーサネット（登録商標）でのブロードキャストアドレスではないが、伝送装置は、通常、宛先が不明のアドレスに対しては、同一ＶＬＡＮ内にパケットのブロードキャストを行う。そのため、２つ以上の伝送装置からＩＰアドレス取得応答が一斉に返ってくる可能性があるが、これも実施の形態２と同様に先に受信した内容を処理するものとする。
【００３８】
実施の形態３によれば、イーサネット（登録商標）によるネットワークでも、実施の形態１と同様の効果が得られる。
【００３９】
実施の形態４．
図９は、この発明の実施の形態４によるＲＰＲ仕様のＬＡＮシステムを示す構成図である。
図９において、４〜６、１００Ａ〜１００Ｄ、２００、３００Ａ〜３００Ｃは図２におけるものと同一のものである。図９では、図２のＲＰＲ仕様のＬＡＮシステムに、それぞれ同一ネットワーク（点線のネットワーク）でのＩＰアドレス７００Ａ、７１０Ｂ、７２０Ｃと、それぞれ同一ネットワーク（実線のネットワーク）でのＩＰアドレス７０１Ａ、７３０Ｄ、７２２Ｃと、それぞれ同一ネットワーク（一点鎖線）でのＩＰアドレス７１１Ｂ、７２１Ｃの情報と、実施の形態４での発明であるＩＰアドレス検索テーブル８００Ａ、８００Ｂ、８００Ｃ、８００Ｄを追加したものである。ＩＰアドレス検索テーブル８００Ａ、８００Ｂ、８００Ｃ、８００Ｄは、ＲＰＲネットワークシステム内の全てのバックアップノードおよび通常ノードの記憶媒体上に保有される。
【００４０】
上述のように、各ＩＰアドレスを送信元としたＩＰ通信でのブロードキャストは、同一ネットワーク内にしか到達しない。ＩＰアドレス検索テーブル８００Ａ、８００Ｂ、８００Ｃ、８００Ｄは、ＲＰＲネットワークシステム内の全てのバックアップノードおよび通常ノードの記憶媒体上に保有される。そのため、バックアップノードの記憶媒体上には図２での各伝送装置の設定情報（設定情報１００Ａ等）とＩＰアドレス検索テーブル（８００Ａ等）を保持することとなる。交換等に伴う新規参入伝送装置は、ＰｎＰ対象であり、通常ノードになりえないため、対象外となる。
【００４１】
図１０は、この発明の実施の形態４によるＲＰＲ仕様のＬＡＮシステムのＩＰアドレス検索テーブル作成の処理動作を示すフローチャートである。
図１０（ａ）は、定期ＩＰ広告手段であり、図１０（ｂ）は、ＩＰアドレス検索テーブル作成手段である。図１０において、各処理ステップに付与された符号Ｎは、通常ノードおよびバックアップノードでの共通の各処理ステップを、符号Ｐは、ＰｎＰ対象となる交換伝送装置での各処理ステップを意味している。
【００４２】
図１１は、この発明の実施の形態４によるＲＰＲ仕様のＬＡＮシステムの電源投入後から定常状態に移行するまでの一定時間内に複数の伝送装置が立ち上がった場合の各伝送装置の処理動作を示すフローチャートである。
図１１において、各処理ステップに付与された符号Ｐは、ＰｎＰ対象となる交換伝送装置での各処理ステップを、符号Ｂは、バックアップノードでの各処理ステップを意味する。また、符号Ｎは、通常ノードおよびバックアップノードでの共通の各処理ステップを意味している。
【００４３】
実施の形態１では、バックアップノードにＰｎＰ用に用いるＶＬＡＮＩＤの情報を予め設定しておくことで、ＩＰアドレス取得要求がバックアップノードで受信されたときにはＰｎＰ用ＶＬＡＮＩＤと記憶媒体に保有している該当伝送装置の設定情報を比較して一致するＶＬＡＮＩＤのＩＰアドレスを応答として送信する場合について説明したが、実施の形態４では、定常状態時にＲＰＲネットワークシステムに参入する全伝送装置が、予め自身の保有するＩＰアドレスを、ＩＰ通信を用いてブロードキャストを行う。その情報を受信したバックアップノード、および通常ノードでＩＰアドレス検索用テーブルとして自身の記憶媒体に保有することで、ＰｎＰ実施時のＩＰアドレス取得要求に応答するようにする。これにより、バックアップノードでは、ＰｎＰ用に用いるＶＬＡＮＩＤの情報を予め設定する必要がなくなり、設定ミスによるＰｎＰ実施不可能な状況を減らすようにしている。
【００４４】
以下、この実施の形態４の特徴として、交換により新規参入する伝送装置がＰｎＰを実施する場合の処理動作について、図９および図１０、図１１のフローチャートを参照して説明する。
通常ノードおよびバックアップノード（ここでは便宜上Ｎノードとする）は、図１０（ａ）、図１０（ｂ）及び図１１（ｂ）の３つの動作処理を実施する。
【００４５】
図１０（ａ）は、Ｎノードの持つＶＬＡＮ毎に動作するものであり、例えば、ＶＬＡＮが２つ設定された伝送装置では、２つのタイマ（Ｎ２００１）が存在する。各ＶＬＡＮ毎に一定時間の経過後（所定周期で）、当該ＶＬＡＮにＩＰアドレスが設定されているかどうかを確認する（Ｎ２００２）。ＶＬＡＮには必ずしもＩＰアドレスの設定がされているとは限らないため、ＩＰアドレスが設定されている時のみ、ＩＰアドレス広告をＩＰ通信によるブロードキャストで送信する（Ｎ２００３）。
この広告は、ＩＰプロトコルに含まれるＵＤＰを用いて行う。ＩＰアドレス広告であることを表すためにＵＤＰのポート番号を利用する。またデータ部に自身の伝送装置ＩＤの情報とＶＬＡＮＩＤを格納する。
【００４６】
次に、図１０（ｂ）で、Ｎノードは、自身の送信したＩＰアドレス広告以外の広告は受信し（Ｎ２０２１）、広告の送信元（第一の伝送装置）のＩＰアドレスである送信元ＩＰアドレス、および、データ部の伝送装置ＩＤ、ＶＬＡＮＩＤを抜き出す（Ｎ２０２２）。抜き出した情報を元にＩＰアドレス検索テーブルを自身の記憶媒体の中に作成する（Ｎ２０２３）。ＩＰアドレス検索テーブルは、伝送装置ＩＤ、ＶＬＡＮＩＤ、ＩＰアドレスが関連付けられた表として作成される。
定常状態で図１０（ａ）、（ｂ）の動作処理を行った結果、図９のＩＰアドレス検索テーブル８００Ａ、８００Ｂ、８００Ｃ、８００Ｄが作成される。
【００４７】
交換時に伴うＰｎＰの動作は、図１１（ａ）、図１１（ｂ）に示され、図１１（ａ）は、交換した伝送装置での動作、図１１（ｂ）は、バックアップノードの動作を示している。
図１０（ａ）で、交換し、ＰｎＰ実施対象の伝送装置（第一の伝送装置）は、実施の形態１と同様にＩＰアドレス取得要求を送信する。この要求は、非ＩＰ通信で送信され、隣接の伝送装置で受信される（Ｎ２０６１）。
【００４８】
ＩＰアドレス取得要求を受信した伝送装置（第二の伝送装置）は、自身の記憶媒体の中にＩＰアドレス検索テーブルが存在するか検索し（Ｎ２０６２）、なければ、実施の形態１の図７のＢ１０２６と同様にさらに隣の伝送装置へ伝播していく。
【００４９】
テーブルがある場合は、ＩＰアドレス取得要求に含まれる伝送装置ＩＤを元にＩＰアドレス検索テーブルからＶＬＡＮＩＤ、ＩＰアドレスを検索する（Ｎ２０６３）。
検索の結果、ＶＬＡＮＩＤ、ＩＰアドレスの値が見つかったかどうかを判定し（Ｎ２０６４）、見つかった場合は、これを応答として非ＩＰ通信により送信する（Ｎ２０６５）。見つからなかった場合は、さらに隣の伝送装置へ伝播していく。また、複数のエントリが見つかった場合（例えば、図９でＩＰアドレス検索テーブル８００Ｃの伝送装置１００ＢのＩＰアドレスに関するエントリ等）は、どちらか一方のエントリを応答する。
これにより、バックアップノードに接続可能なＩＰアドレスが設定可能となり、ＩＰアドレス設定後は、実施の形態１と同様の動作でＰｎＰが実施可能となる。
【００５０】
実施の形態４によれば、定常状態で、他の伝送装置を含むＩＰアドレスを検索できるＩＰアドレス検索テーブルを記憶媒体に保有することにより、バックアップノードでは、ＰｎＰ用に用いるＶＬＡＮＩＤの情報を予め設定する必要がなくなり、設定ミスによるＰｎＰ実施不可能な状況を減らすことができる。
【００５１】
実施の形態５．
この実施の形態５のＬＡＮシステム全体構成は、図２に示した実施の形態１の場合と同様である。
図１２は、この発明の実施の形態５によるＲＰＲ仕様のＬＡＮシステムの伝送装置に設定された設定情報を示す図である。
図１２において、バックアップノードの設定３００１Ａは、バックアップノードで保有している自身の設定であり、他の伝送装置のバックアップ設定３００１Ｂは、他の伝送装置をバックアップするための他の伝送装置の設定である。
【００５２】
図１３は、この発明の実施の形態５によるＲＰＲ仕様のＬＡＮシステムの電源投入後から定常状態に移行するまでの一定時間内に複数の伝送装置が立ち上がった場合の各伝送装置の処理動作を示すフローチャートである。
図１３において、各処理ステップに付与された符号Ｐは、ＰｎＰ対象となる交換伝送装置での各処理ステップを、符号Ｂは、バックアップノードでの各処理ステップを意味する。
【００５３】
ＰｎＰ実施時に、交換に伴うＰｎＰ対象の伝送装置からのＩＰアドレス取得要求に対して、バックアップノードの応答の作成法として、実施の形態１では、ＰｎＰ用ＶＬＡＮＩＤからの検索により、一致したＩＰアドレスを応答として送信した。また実施の形態４では、ＩＰアドレス検索テーブルから検索し、一致したＩＰアドレスを応答として送信する方法であった。
実施の形態５では、ＰｎＰ用ＶＬＡＮＩＤの設定やＩＰアドレス検索テーブルの作成は行わず、ＩＰアドレス取得要求を受信したバックアップノードで、自身の設定を、応答を返すべき伝送装置の設定と比較し、応答すべきＩＰアドレスが見つかれば、当該情報を応答として送信することで、ＰｎＰ実施時の処理を減らし、簡易化を図るものである。
【００５４】
以下、この実施の形態５の特徴として、図１２にバックアップノードで保有している自身の設定３００１Ａと、他の伝送装置をバックアップする設定３００１Ｂをそれぞれ示している。また全体の処理フローに関しては、図１３に示すフローチャートを参照して説明する。
まず、実施の形態１と同様、ＰｎＰ対象の伝送装置は、ＩＰアドレス取得要求を送信し、これをバックアップノードで受信する（Ｂ１０２１）。バックアップノードでは、要求元の伝送装置ＩＤの設定情報を保有しているかどうかを確認（Ｂ１０２２）し、要求元の伝送装置ＩＤの設定情報を自身の記憶媒体に保有していた場合、自分自身と、要求元の伝送装置との間で通信が可能かどうかを確認するため、自身の設定情報と要求元の伝送装置ＩＤの設定情報を比較する（Ｂ３０２１）。
【００５５】
例えば、図１２において、バックアップノード自身の設定３００１Ａと、バックアップノードにバックアップされている、ＩＰアドレス取得要求送信元の伝送装置ＩＤの設定３００１Ｂを比較する。
この比較の仕方としてまず、設定３００１ＡのＩＰアドレスのネットワーク部と、設定３００１ＢのＩＰアドレスのネットワーク部を比較していく。ＩＰアドレスは、前半のネットワーク部と後半のホスト部に分かれており、サブネットマスクで１を指定されている部分がネットワーク部である。そして、ネットワーク部が一致するＩＰアドレスを保有する伝送装置同士でのみ、通信が可能となる。
設定３００１Ａの１つ目のエントリであるＩＰアドレスは、１０．０．１．１であり、サブネットマスクは、２５５．２５５．２５５．０であることから、ネットワーク部は１０．０．１となる。このネットワーク部は、設定３００１Ｂには存在しない。このように、ネットワーク部を比較していくことで、設定３００１Ａの３行目と設定３００１Ｂの３行目（ネットワーク部１９２．１６８．１）、および設定３００１Ａの４行目と設定３００１Ｂの５行目（ネットワーク部１９２．１６８．２）、設定３００１Ａの５行目と設定３００１Ｂの４行目（ネットワーク部１９２．１６８．３）が一致するネットワーク部であることがわかる。
【００５６】
それらのエントリの中でＶＬＡＮＩＤも一致するエントリを探す。ＶＬＡＮＩＤは、ＶＬＡＮを識別するための番号であり、ＶＬＡＮＩＤが一致している伝送装置同士でのみ、通信が可能となる。ＶＬＡＮＩＤが一致するエントリで絞り込むと、設定３００１Ａの４行目と設定３００１Ｂの５行目、設定３００１Ａの５行目と設定３００１Ｂの４行目に絞り込まれる。
【００５７】
また、ＲＰＲポートの番号が物理的な構成により決められている場合は、さらに、ＲＰＲポート番号で絞り込む。これは、ＲＰＲの伝送装置は、ＲＰＲポートで相互に接続しており、プラグアンドプレイをＲＰＲポートで行うためである。この例では、ポートの６番目が物理的にＲＰＲ用のポートとして決められており、当該ＶＬＡＮのポート情報にポート６が含まれているエントリを絞り込む。それにより、設定３００１Ａの５行目と設定３００１Ｂの４行目のエントリに絞り込まれることとなる。
【００５８】
このようにして、ＩＰアドレス取得要求に対して、応答するＩＰアドレスを検索していく。検索により、ＩＰアドレスが見つかれば（Ｂ３０２２）、応答をすることとなる（Ｂ１０２５）。上記処理では、設定３００１Ａの１９２．１６８．３．３と設定３００１Ｂの１９２．１６８．３．１が絞り込まれたＩＰアドレスとなり、ＩＰアドレス取得要求に対して、設定３００１Ｂの値であるＩＰアドレス１９２．１６８．３．１とＶＬＡＮＩＤ  ５が応答として送信される。
これにより、バックアップノードからのバックアップノードに接続可能なＩＰアドレス応答により、ＩＰアドレスの設定が可能となり、ＩＰアドレス設定後は、実施の形態１と同様の動作でＰｎＰが実施可能となる。
【００５９】
実施の形態５によれば、ＰｎＰ用ＶＬＡＮＩＤの設定やＩＰアドレス検索テーブルの作成は行わず、ＩＰアドレス取得要求を受信したバックアップノードで、自身の設定情報と、応答を返すべき伝送装置の設定情報とを比較し、応答すべきＩＰアドレスが見つかれば、当該情報を応答として送信することで、ＰｎＰ実施時の処理を減らし、簡易化を図ることができるものである。
【図面の簡単な説明】
【００６０】
【図１】この発明の実施の形態１による伝送装置を示す構成図である。
【図２】この発明の実施の形態１によるＲＰＲ仕様のＬＡＮシステムを示す構成図である。
【図３】この発明の実施の形態１によるＲＰＲ仕様のＬＡＮシステムのＰｎＰ実施のための準備段階を示す説明図である。
【図４】この発明の実施の形態１によるＲＰＲ仕様のＬＡＮシステムのＰｎＰ実施の段階を示す説明図である。
【図５】この発明の実施の形態１によるＲＰＲ仕様のＬＡＮシステムの伝送装置の動作を示すシーケンス図である。
【図６】この発明の実施の形態１によるＲＰＲ仕様のＬＡＮシステムで用いられる非ＩＰ通信のＩＰアドレス取得要求とＩＰアドレス取得応答のパケットフォーマットを示す図である。
【図７】この発明の実施の形態１によるＲＰＲ仕様のＬＡＮシステムの電源投入後から定常状態に移行するまでの一定時間内に複数の伝送装置が立ち上がった場合の各伝送装置の処理動作を示すフローチャートである。
【図８】この発明の実施の形態３によるＬＡＮシステムで用いられる非ＩＰ通信のＩＰアドレス取得要求とＩＰアドレス取得応答のパケットをイーサネット（登録商標）フレームでカプセル化したフォーマットを示す図である。
【図９】この発明の実施の形態４によるＲＰＲ仕様のＬＡＮシステムを示す構成図である。
【図１０】この発明の実施の形態４によるＲＰＲ仕様のＬＡＮシステムのＩＰアドレス検索テーブル作成の処理動作を示すフローチャートである。
【図１１】この発明の実施の形態４によるＲＰＲ仕様のＬＡＮシステムの電源投入後から定常状態に移行するまでの一定時間内に複数の伝送装置が立ち上がった場合の各伝送装置の処理動作を示すフローチャートである。
【図１２】この発明の実施の形態５によるＲＰＲ仕様のＬＡＮシステムの伝送装置に設定された設定情報を示す図である。
【図１３】この発明の実施の形態５によるＲＰＲ仕様のＬＡＮシステムの電源投入後から定常状態に移行するまでの一定時間内に複数の伝送装置が立ち上がった場合の各伝送装置の処理動作を示すフローチャートである。
【符号の説明】
【００６１】
１  伝送装置、２  ＣＰＵ、３  スイッチング処理部、４  入出力ポート、
５  記憶媒体、６  設定情報格納手段、７  ＶＬＡＮＩＤ設定手段、
８  ＩＰアドレス取得要求手段、９  ＶＬＡＮＩＤ検索手段、
１０  ＩＰアドレス取得応答手段、１１  プラグアンドプレイ用取得要求手段、
１２  設定情報取得手段、１３  Ｈ／Ｗスイッチ、
１００Ａ〜１００Ｄ  伝送装置、
２００伝送路、
３００Ａ〜３００Ｃ  ネットワーク（ＶＬＡＮＩＤ）、
４００  ＰＣ、４０１  イーサネット（登録商標）ケーブル、
７００Ａ，７０１Ａ，７１０Ｂ，７１１Ｂ，７１２Ｂ  ＩＰアドレス、
７２０Ｃ，７２１Ｃ，７３０Ｄ  ＩＰアドレス。
【図１】
2008141468.tif 000003
【図２】
2008141468.tif 000004
【図３】
2008141468.tif 000005
【図４】
2008141468.tif 000006
【図５】
2008141468.tif 000007
【図６】
2008141468.tif 000008
【図７】
2008141468.tif 000009
【図８】
2008141468.tif 000010
【図９】
2008141468.tif 000011
【図１０】
2008141468.tif 000012
【図１１】
2008141468.tif 000013
【図１２】
2008141468.tif 000014
【図１３】
2008141468.tif 000015